(57)【要約】【課題】吸収性能及び漏れ防止性能に優れ、しかも立位での装着性に優れた、展開型の使い捨ておむつを提供すること。【解決手段】液透過性の表面シート２、液不透過性の裏面シート３及び両シート間に介在された液保持性の吸収体４を備えた使い捨ておむつにおいて、長手方向の一方の部位Ｂの両側縁部に一対のファスニングテープが設けられ、他方の部位Ｃの外表面に、前記ファスニングテープ５を止着するランディングゾーンが設けられており、前記一方の部位の胴回り部の両側部に、おむつ幅方向に弾性伸縮するサイド伸縮部が形成されており、股下部の最小幅部分の股間幅Ｗ１が１００〜２４０ｍｍであり、股下部における、前記吸収体が配された領域Ｒの曲げ剛性が３〜２５ｇｆである使い捨ておむつ【選択図】　　図２
2004057414.tif 000002
【特許請求の範囲】
【請求項１】
液透過性の表面シート、液不透過性の裏面シート及び両シート間に介在された液保持性の吸収体を備えたおむつであって、
長手方向の一方の部位の両側縁部にファスニングテープが設けられ、他方の部位の外表面に、前記ファスニングテープを止着するランディングゾーンが設けられており、前記一方の部位の胴回り部の両側部に、おむつ幅方向に弾性伸縮するサイド伸縮部が形成されており、
前記胴回り部を、おむつ幅方向に伸張させたときの、最大伸張時の伸張率から３０％を減じた伸張率における引張荷重が８０〜５００ｇｆであり、
股下部の最小幅部分の股間幅が１００〜２４０ｍｍであり、
前記股下部の前記吸収体が配された領域の曲げ剛性が３〜２５ｇｆ／５０ｍｍである立位での装着が容易なおむつ。
【請求項２】
前記股下部の股間幅が、おむつ長手方向の５０ｍｍ以上の長さに亘って１００〜２４０ｍｍの範囲内である請求項１記載のおむつ。
【請求項３】
おむつ重量が２０〜４０ｇである請求項１又は２記載のおむつ。
【請求項４】
前記おむつを長手方向に２等分する中央線の両側の飽和吸収容量の比が４５／５５〜５５／４５である請求項１〜３何れか記載のおむつ。
【請求項５】
液透過性の表面シート、液不透過性の裏面シート及び両シート間に介在された液保持性の吸収体を備え、長手方向の一方の部位の両側縁部にファスニングテープが設けられ、他方の部位の外表面に、前記ファスニングテープを止着するランディングゾーンが設けられており、前記一方の部位の胴回り部における両側部に、おむつ幅方向に弾性伸縮するサイド伸縮部が形成されているおむつの装着方法であって、
前記使い捨ておむつは、股下部の最小幅部分の股間幅が１００〜２４０ｍｍであり、股下部における、前記吸収体が配された領域の剛性が３〜２５ｇｆ／５０ｍｍであり、
前記使い捨ておむつを、起立状態の着用者の両脚間に挿入し、引き上げることにより該使い捨ておむつを股間に保持させた状態で、一対の前記ファスニングテープを、前記ランディングゾーンに止着するおむつの装着方法。
【発明の詳細な説明】
【０００１】
【発明の属する技術分野】
本発明は、立位での装着性に優れ、しかも吸収性能及び漏れ防止性能に優れた、展開型の使い捨ておむつに関する。
【０００２】
【従来の技術及び発明が解決しようとする課題】
従来、使い捨ておむつとして、ファスニングテープを有する展開型の使い捨ておむつと、予めパンツ型に形成されたパンツ型の使い捨ておむつが知られており、展開型の使い捨ておむつは、新生児から使用できることや、製造コストが安いこと等から、最も一般的に用いられている。
【０００３】
従来の一般的な展開型使い捨ておむつは、着用者（赤ちゃん等）が仰向けに寝ている状態で装着（以下、寝位装着ともいう）するように設計されており、立ち上がった状態の着用者（赤ちゃんや幼児等）に対して装着すること（以下、立位装着ともいう）は容易ではない。
即ち、従来の使い捨ておむつを寝位で装着する場合には、両側縁部に一対のファスニングテープが設けられている側が、着用者の背中によって床に押しつけられて動かないため、ランディングソーンが設けられている側を、着用者の腹部に容易に押し当てることができ、しかも、ファスニングテープが自然にランディングソーンの比較的近傍に位置するため、一対のファスニングテープそれぞれをランディングソーンに止着するのも容易である。これに対して、立位で装着する場合には、両側縁部に一対のファスニングテープが設けられている側が、床によって支持されずに不安定な状態にあるため、ファスニングテープが設けられている側と、ランディングソーンが設けられている側の両方を、手で所定の状態に保持しながら、ファスニングテープの止着作業を行う必要があり、このような作業を親等が一人で行うのは難しい。
【０００４】
また、従来のおむつは、所要の吸収性能や漏れ防止性能を確保するために、おむつ股下部の幅が比較的広めに設計されている。従来のおむつのように、寝位装着する場合には、両脚を左右に大きく開いた状態で装着できるので、おむつ股下部の幅が広くても装着性にさほど影響しないが、立位装着では、両脚を左右に大きく開かせることができないため、おむつ股下部の幅が広いと、両脚間におむつを挿入すること自体が困難となり、ただちに装着性の悪化につながってしまう。また、単におむつ股下部の幅を狭くしたのでは、おむつ本来の吸収性能や漏れ防止性能が悪化してしまう。
【０００５】
従って、本発明の目的は、立位での装着性に優れ、しかも吸収性能及び漏れ防止性能に優れた、展開型の使い捨ておむつを提供することにある。
【０００６】
【課題を解決するための手段】
本発明は、液透過性の表面シート、液不透過性の裏面シート及び両シート間に介在された液保持性の吸収体を備えたおむつであって、長手方向の一方の部位の両側縁部にファスニングテープが設けられ、他方の部位の外表面に、前記ファスニングテープを止着するランディングゾーンが設けられており、前記一方の部位の胴回り部の両側部に、おむつ幅方向に弾性伸縮するサイド伸縮部が形成されており、前記胴回り部を、おむつ幅方向に伸張させたときの、最大伸張時の伸張率から３０％を減じた伸張率における引張荷重が８０〜５００ｇｆであり、股下部の最小幅部分の股間幅が１００〜２４０ｍｍであり、股下部の前記吸収体が配された領域の曲げ剛性が３〜２５ｇｆ／５０ｍｍである立位での装着が容易なおむつを提供することにより、前記目的を達成したものである。
【０００７】
【発明の実施の形態】
以下、本発明を、その好ましい一実施形態に基づいて詳細に説明する。
本発明の一実施形態としての使い捨ておむつ１は、図１及び図２に示すように、液透過性の表面シート２、液不透過性の裏面シート３、及び両シート間に介在された液保持性の吸収体４を備えている。使い捨ておむつ１は、幼児用の展開型の使い捨ておむつであり、長手方向の中央部に股下部Ａを有しており、長手方向における該股下部Ａの前後に、両側縁部に一対のファスニングテープ５が設けられた第１部（長手方向の一方の部位）Ｂ及び外表面にファスニングテープ５を止着するランディングゾーン５１が設けられた第２部（他方の部位）Ｃを有している。股下部Ａは、着用時に着用者（被装着者）の股下部（股間部）に配される。
【０００８】
本実施形態の使い捨ておむつ１は、股下部Ａの両側縁が円弧状に形成されており、全体として、長手方向中央部が括れた砂時計状の形状を有している。
表面シート２は、吸収体４よりも外形寸法の大きい略矩形状の平面視形状を有しており、裏面シート３の幅方向中央部に配されている。裏面シート３は、おむつの外形形状に一致する砂時計状の外形を有している。
表面シート２及び裏面シート３は、それぞれ、吸収体４の両側縁４１，４１及び両端縁４２ａ，４２ｂから外方に延出しており、それらの延出部において互いに接合されている。裏面シート３の長手方向の両側部は、表面シート２の両側縁から幅方向外方に延出している。
【０００９】
本使い捨ておむつ１における長手方向の両側には、一対の立体ギャザー６，６及び一対のレッグギャザー７，７が、各々弾性部材を配設することによって形成されている。
より詳細には、一対の立体ギャザー６は、それぞれ、弾性部材６１を有する立体ギャザー形成用のシート材６２を、表面シート２の両側縁の外方から内方に亘るように配設して形成されている。各シート材６２は、吸収体４の側縁４１と後述するレッグ部弾性部材７１との間において、ヒートシール、接着剤等の公知の接合手段により、おむつ長手方向に亘って直線状に表面シート２上に固定されており、その直線状の固定部により立体ギャザー６の固定端６４が形成されている。各シート材６２は、前記固定端６４よりも幅方向外方に位置する部分が表面シート２又は裏面シート３上に固定されており、また、おむつの長手方向両端部近傍における該固定端６４よりもおむつ幅方向中央側に位置する部分が表面シート２上に固定されている。各立体ギャザー６に配設された弾性部材６１は、それぞれ糸状の形態を有し、各立体ギャザー６の自由端６３と略平行に複数本配されている。
【００１０】
一対のレッグギャザー７は、おむつ幅方向における、立体ギャザー６，６の固定端６４の位置よりも更に外側に、複数本のレッグ部弾性部材７１，７１を、略直線状に配設して形成されている。
前記弾性部材６１及び前記レッグ部弾性部材７１は、何れも使い捨ておむつ１の長手方向に沿って配設されており、また、第１部Ｂと第２部Ｃとの間に亘って配設されている
【００１１】
本使い捨ておむつ１における第１部Ｂのウエスト部Ｄには、ウエスト部弾性部材８１が配設されてウエスト伸縮部８が形成されており、また、第１部Ｂの胴回り部Ｅの両側部には、それぞれ複数本の胴回り部弾性部材９１が配設されて、おむつ幅方向に弾性伸縮する一対のサイド伸縮部９，９が形成されている。一対のサイド伸縮部９，９は、何れも一対のファスニングテープ５，５同士間に位置する領域に形成されている。
【００１２】
ウエスト部Ｄは、着用時に着用者の腰回りに配される部分であり、おむつの長手方向の両端部分を構成している。ウエスト部は、ウエスト端縁１１，１２から股下方向２０ｍｍまでの領域である。本実施形態のおむつ１においては、第１部Ｂ及び第２部ＣそれぞれにおけるウエストＤに、ウエスト部弾性部材８１が配設されてウエスト伸縮部８が形成されている。
【００１３】
第１部Ｂの胴回り部Ｅは、図１に示すように、使い捨ておむつ１を、その各部の弾性部材を伸張させて平面状に拡げた状態（緊張状態）とし、第１部Ｂ側を上側、第２部Ｃ側を下側と考えた場合に、前記ウエスト部Ｄ（ウエスト端縁１１から２０ｍｍの領域）よりも下方に位置し且つ股下部（着用時に着用者の股下に配される部分で、左右両側縁が脚廻りに沿わせるように凹状に形成されている部分）Ａより上方に位置する部分である。胴回り部Ｅの両側部は、胴回り部Ｅにおける、おむつ長手方向の両側部に位置する部分である。各サイド伸縮部９おける複数本の胴回り部弾性部材９１は、長手方向に所定の間隔を置いて、それぞれ幅方向に亘って略平行に配されている。
【００１４】
胴回り部弾性部材９１は、少なくとも吸収体４の両側縁４１，４１の位置よりも幅方向外方の部位に弾性伸縮性が発現されるように伸張状態で固定されており且つ該吸収体４の両側縁４１，４１の位置よりも幅方向内方の部位における少なくとも中央部には配設されていない。また、各胴回り部弾性部材９１は、表面シート２、裏面シート３及び吸収体４を備え、股下部Ａ、第１部Ｂ及び第２部Ｃを有する本体部分１０におけるシート間に固定されている。具体的には、第１部Ｂの幅方向に亘って配された２枚の柔軟な固定用シート間に挟持固定された状態で配されており、２枚の該固定用シートは、裏面シート３又は吸収体４と、表面シート２又は前記シート材６２との間に接着固定されている。各胴回り部弾性部材９１のおむつ幅方向内方側の端部は、吸収体４の両側縁４１の位置よりも幅方向内側に若干入る程度の位置にあり、吸収体４の幅方向中央部から左右両側縁４１，４１の近傍にかけての領域には、胴回り部弾性部材９１が配されていない。即ち、胴回り部Ｅのおむつ幅方向中央部には、幅方向に弾性伸縮する伸縮部が形成されていない。
【００１５】
本使い捨ておむつ１は、股下部Ａの最小幅部分の股間幅Ｗ１（図２参照）が１００〜２４０ｍｍである。股間幅Ｗは、図１に示すように、使い捨ておむつ１を平面状に拡げた状態（緊張状態）において、股下部Ａの両側縁同士間の距離をおむつ幅方向に沿って測定する。
前記最小幅部分の股間幅Ｗ１が１００ｍｍ未満であると、装着作業中に、起立状態の着用者の両脚間に使い捨ておむつを保持させることが難しくなると共に必要な吸収性能や漏れ防止性能を確保できなくなる恐れがあり、２４０ｍｍ超であると、立位での装着性と着用中の装着感を悪化させる恐れがある。最小幅部分の股間幅Ｗ１は、寝位及び立位での装着性、特に、立位時の装着し易さの観点から好ましくは１００〜２３０ｍｍ、特に好ましくは１２０〜２００ｍｍである。
【００１６】
所要の吸収性能や漏れ防止性能、良好な装着感を確保しつつ、起立状態の着用者の両脚間におむつが良好に保持されるようにする観点から、股下部Ａの股間幅Ｗは、図１に示すように、おむつ長手方向の５０ｍｍ以上の長さに亘って１００〜２４０ｍｍの範囲内であることが好ましく、特に、股下部Ａの最小幅部分からおむつ長手方向にそれぞれ２５ｍｍ以上の長さに亘って上記の範囲内であることが好ましい。また、上記範囲は１００〜２３０ｍｍであると立位時の装着し易さがより向上するので好ましい。
本実施形態の使い捨ておむつにおいては、おむつを長手方向に２等分する中央線ＣＬ（図１参照）上において股下部の幅（股間幅）が最も狭くなっている。このように、股下部の最小幅部分は、おむつ長手方向の略中央部に存することが好ましい。
【００１７】
また、本使い捨ておむつ１は、股下部Ａにおける、吸収体４が配された領域の剛性（おむつ幅方向の曲げ剛性）が３〜２５ｇｆ／５０ｍｍであり、好ましくは５〜２０ｇｆ／５０ｍｍである。
前記剛性が３ｇｆ／５０ｍｍ未満であると、装着作業中に、起立状態の着用者の両脚間に使い捨ておむつを保持させることが難しくなり、また、吸収性材料の量が少なくなるため、必要な吸収性能や漏れ防止性能を確保できなくなる恐れがある。前記剛性が２５ｇｆ／５０ｍｍ超であると、着用者の両脚間に使い捨ておむつをスムーズに挿入できなくなったり、着用中の装着感を悪化させる恐れがある。
【００１８】
ここで、股下部Ａにおける、吸収体４が配された領域（以下、吸収体配設領域ともいう）とは、使い捨ておむつ１を、図１に示すように平面状に拡げた状態（緊張状態）において平面視（俯瞰視）したときに、厚み方向の内部（上下面間）に吸収体４が存在する領域である（図２中にＲで示す）。
吸収体配設領域の剛性は、股下部Ａの少なくともおむつ長手方向の５０ｍｍ以上の長さにわたる剛性が上記範囲内である必要があり、特に股下部Ａの最小幅部分からおむつ長手方向にそれぞれ２５ｍｍ以上の長さにおいて上記範囲内であることが好ましい。
【００１９】
ここで、吸収体配設領域の剛性は、以下のようにして測定される。
〔曲げ剛性の測定方法〕
測定にはテンシロン試験機〔（株）オリエンテック社製のＲＴＣ−１１５０Ａ〕を用い、ＪＩＳ規格Ｋ７１７１法（プラスチック−曲げ特性の試験方法）に準拠して測定を行う（Ｒ１＝５．０±０．１ｍｍ、Ｒ２＝５．０±０．２ｍｍ一定）。
試験片をエッジスパン間Ｌを５０ｍｍとした支持台の両エッジ間に渡すように置き、試験片に僅かに接するように圧子先端部を配置する。ロードセル５ｋｇ（レンジ２００ｇｆ）、速度３０ｍｍ／ｍｉｎの条件で、圧子を降下させ、荷重−たわみ曲線を得る。得られた曲げ応力の最大値を曲げ剛性値（ｇｆ／５０ｍｍ）とする。
尚、試験片はギャザーを除去したおむつから、測定に影響するような折り目、しわ等が含まれないように表面材から裏面材までの構成部材を含めておむつの長手方向５０ｍｍ、幅方向８０ｍｍの長方形の大きさに切り出す。曲げ剛性値の単位の５０ｍｍとは試験片の短辺の長さであり、試験時の圧子でたわませた試験片の幅である。
【００２０】
試験片は、剛性を測定しようとする部位の幅が５０ｍｍ超の場合には、その幅の全体を切り出す。剛性を測定しようとする部位の幅が５０ｍｍ以下の場合には、その部位が含まれるように切り出し、両エッジ間に該部位の少なくとも一部が位置するように置く。
例えば、吸収体配設領域のおむつ幅方向の両端部の他の部位より低剛性の幅５０ｍｍ以下の領域がある場合、測定片は、その低剛性の領域を長手方向の一端部に含むように切り出し、その低剛性の領域の一端が一方のエッジ上に位置し、他端がエッジ間に位置するようにセットする。この場合、前記圧子は、エッジ間の中央部において、その低剛性領域意外の部位を押圧することになる場合もあるが、得られる荷重の最大値は、主として低剛性の領域の剛性に依存するため、そのようにして得られた荷重の最大値を、その低剛性の領域の曲げ剛性値（ｇｆ／５０ｍｍ）とする。
また、吸収体配設領域からおむつ幅方向の幅が５０ｍｍ超の試験片を切り出し、該試験片について上述のようにして求めた荷重の最大値が２５ｇｆ／５０ｍｍ超である場合には、吸収体配設領域に、おむつ幅方向の幅が５０ｍｍ以上で且つおむつ幅方向の曲げ剛性が２５ｇｆ／５０ｍｍ超の領域がある。
【００２１】
本実施形態の使い捨ておむつ１は、上述した構成を有するため、例えば下記方法により、立位状態の着用者に対して容易に装着することができる。
先ず、図３（ａ）又は図３（ｂ）に示すように、おむつ股下部Ａが着用者の股下部（股間部）に位置するように、使い捨ておむつを、起立状態の着用者の両脚間に挿入する。そのように挿入された使い捨ておむつは、上記範囲内で規定された股間幅と吸収体の剛性により、股間に挿入されたおむつが引き上げ易く、しかも引き上げた状態が保たれるため、そのように使い捨ておむつを保持させた状態において、一対のファスニングテープ５，５を、ランディングゾーン５１に止着する。
【００２２】
本実施形態の使い捨ておむつによれば、おむつ股下部の幅及び股下部の剛性を上述した特定の範囲としてあるため、使い捨ておむつを立位状態の着用者の両脚間にスムーズに挿入して引きあげることができると共に、挿入した使い捨ておむつが両脚間に安定に保持される。従って、その状態でファスニングテープを容易にランディングゾーンに止着することができる。また、胴回り部のファスニングテープ間がサイド伸縮部が伸びるので上記テープを止着する際ずれることなく寝位の装着同様高い位置での装着が可能になる。
単におむつ股下部の幅を小さくすること及び股下部の剛性を柔らかくすることの工夫のみでは、おむつに要求される基本的性能である吸収性能や漏れ防止性能が維持されなくなる恐れがあるが、本発明のおむつにおいては、一対のサイド伸縮部を配することによって立位装着の場面において顕著に良好な装着性を実現しつつ、おむつの基本性能である漏れ防止性能を高めることができた。すなわち本発明においては一対のサイド伸縮部材によって着用者に対するフィット性を高めてあるので、吸収体にシワやヨレを生じにくく、吸収体の吸収性能を最大限に発揮させることができるうえに、ズレ落ちにくいので股間部にスキマが生じることがない。そのため、股下部の幅及び股下部の剛性を上記の範囲内としても、充分な吸収性能や漏れ防止性能が得られる。本実施形態の使い捨ておむつは、このようにして、立位での装着に優れ、しかも吸収性能及び漏れ防止性能に優れた使い捨ておむつとなっている。装着作業中に、着用者の両脚間に安定に保持され、たとえ手を離しても脱落しないようにする観点から、おむつの重量は２０〜４０ｇであることが好ましい。
尚、上述した使い捨ておむつの装着方法によれば、使い捨ておむつが立位状態の着用者の両脚間に安定に保持された状態で、ファスニングテープをランディングゾーンに止着できるため、おむつの装着作業が容易である。
【００２３】
本発明のおむつにおいては、長手方向の一方の部位（第１部Ｂ）の胴回り部Ｅを、おむつ幅方向に伸張させたときの、最大伸張時の伸張率から３０％を減じた伸張率における引張荷重（引張力）（以下、胴回り部Ｅの引張荷重ともいう）が、８０〜５００ｇｆであり，１５０〜４００ｇｆであることが好ましい。当該範囲であると、立位での装着の際におむつが下方へずれ落ちることを効果的に防止できると共に、装着時には着用者の腹部等の変化に追従し易いため、ずれ落ち防止とともにおむつと着用者の体の間に隙間を作ることを防げるので、漏れを防止することができる。
【００２４】
胴回り部Ｅの引張荷重は、それぞれ以下のようにして測定される。
〔胴回り部Ｅの引張荷重〕
おむつから、胴回り部Ｅの弾性部材が配されている部位のおむつ幅方向に亘る全体〔本実施態様においては、第１部Ｂにおけるウエスト端縁１１から２０ｍｍまでの領域よりも下方で、且つ左右のファスニングテープの固定端間（おむつ両側縁端間）に存在する領域〕を切り出し、テンシロン引張り試験機〔型番：ＲＴＡ−１００、（株）オリエンテック社製〕を用いて、おむつ幅方向に対応する方向に伸張させる。
初期チャック間距離は、第１部の幅方向の自然長（弾性部材を伸長させない自然状態における長さ，初期長）から５０ｍｍを減じた長さとし、サンプルの両端部をそれぞれチャックに挟む。次いで、クロスヘッド移動速度３００ｍｍ／ｍｉｎの条件で、サンプルを最大伸張幅（第１部から弾性部材を排除し、該胴回り部を収縮させないようにして測定した第１部Ｂにおける胴回り部の幅）まで伸長させる。最大伸張時の伸長率Ｐ（％）は、〔（最大伸張幅−初期長）／初期長〕×１００で求められる。そして、最大伸張時の伸張率Ｐから３０％を減じた伸張率（Ｐ−３０）％における引張荷重（引張力）を求める。
【００２５】
胴回り部の弾性部材としては、６５０ｄｔｅｘ以下の糸状弾性体や、帯状の弾性体を使用することができる。ただ、胴回り部はサイド伸縮部によって着用者にフィットさせるので、強い押し当て感がなく、かつずれ落ちを確実に防止しなければならない。このような観点から、太さは２００〜６００ｄｔｅｘの糸状弾性部材が好ましい。また、該弾性部材は予め２枚のシート間に挟まれて固定されて形成された弾性伸縮シートを、おむつの本体部分に貼り付けた構成であることが好ましい。というのは、細い弾性部材を使用すると押し付け感が減じるのだが、シートに対する接着固定が難しいという問題があるので、当該構成とすることで、装着時に不意な力でサイド伸縮部が引張られても弾性部材が剥がれて抜けないようにすることが確実となるからである。
【００２６】
本実施形態の使い捨ておむつ１における立体ギャザー６は、低モジュラスの弾性部材を高伸張率で配して形成してある。立体ギャザー６は、使い捨ておむつ１に１００％以上の伸張率、好ましくは１００〜３００％の伸張率、特に好ましくは１３０〜２００％の伸張率で配設されている。
おむつ配設状態（おむつに配設されている状態）の立体ギャザー６の伸張率が１００％未満であると、装着時に立体ギャザーの先端部の起立性が損なわれ、立位での装着時などで、立体ギャザーの先端部を股間部に誘導する際に、立体ギャザーが倒れてしまったり、被装着者の肌にあたり、折れ曲がったりし、正しく装着することが難しくなる。また、被装着者の姿勢が変化した場合、立体ギャザーの先端部が被装着者の肌との間に隙間が生じ排泄物が漏れる可能性が大きくなる。前記伸張率が３００％超であると、場合によっては、おむつが丸まってしまい、装着が困難になる。とくに立位での装着ではおむつが股間部に挿入されたときに、テープ部を止着するまでもなくおむつがズレ落ちてしまい、装着が非常に難しい。また、装着できたとしても、既にズレ落ちた状態に装着されてしまい、装着が非常に難しい。また、装着できたとしても、既にズレ落ちた状態に装着され、フィット性や漏れ性能の低下にもつながる。
【００２７】
おむつ配設状態における立体ギャザー６の伸張率は以下のようにして測定される。
〔おむつ配設状態の伸長率〕
おむつ長手方向の中央部に位置する部分が含まれるようにおむつから立体ギャザーを切り出し、最大に伸張させた時点での区間をＨ、その後伸張を開放し、自然状態、即ち、切り出したギャザーが自然に縮んだ状態において測定した区間Ｈの長さｈとしたとき、下記式（１）で表される。
伸張率（％）＝（Ｈ―ｈ）／ｈ　×１００　　　　　　　　（１）
自然状態での長さｈは、平らな面を持つ板などの上で負荷をできるだけかけずにギャザーによる凹凸を最小限にして測定する。区間Ｈとしては２００ｍｍ程度設けることが好ましい。
【００２８】
また、立体ギャザー６は、おむつ非固定状態（おむつに固定されていない状態、即ちおむつから立体ギャザーを切り出した状態をいう）で伸張させたとき、おむつ配設状態における伸張率（％）から３０％減じた伸張率（おむつ配設状態伸長率−３０％）で定義される実効伸長率における引張荷重が２０〜１２０ｇｆ、好ましくは５０ｇｆ〜１００ｇｆであり、伸張率が２０％から前記実効伸張率までの間の引張り荷重増加率が１．０（ｇｆ／％）以下、好ましくは０．７（ｇｆ／％）以下である。
実効伸張率、即ちおむつ配設状態の伸張率（％）から３０％減じた地点で評価する意味は、伸張率（％）に対する立体ギャザーの荷重曲線、すなわち伸張応力を測定する際、それ以上の伸張率では構成部材の伸張荷重が含まれることが多く、ギャザーとしての物性値以上の荷重曲線となりやすく、正味のギャザーの物性ではないためである。
また、おむつ装着時におむつはＵ字形状に湾曲し、その中に配された立体ギャザーはおむつのＵ字形状の外周より小さいＵ字状の軌線となるため、おむつ配設状態の伸張率まで伸張することはほとんどないために、おむつ配設状態の伸張率から減じた地点で評価することは実質的な装着状態での立体ギャザーの挙動を表すには妥当な地点であるといえる。
【００２９】
〔おむつ非固定状態の伸張特性〕
実効伸長率における引張荷重、及び引張荷重増加率は、以下のようにして求められる。
おむつ１から、立体ギャザー（固定端と自由端との間の帯状部分）６を切り出して試験片とし、該試験片を、テンシロン引っ張り試験機〔（株）オリエンテック社製、ＲＴＣ−１１５０Ａ〕のチャック間に固定して長手方向に、速度３００ｍｍ／ｍｉｎ、ロードセル５ｋｇの条件で伸張させ、その伸張過程における伸張率及び対応する引張荷重をプロットして、伸張率及び引張荷重の関係曲線〔横軸；伸長率（％），縦軸；引張荷重（ｇｆ），図５参照〕を得る。
【００３０】
得られた関係曲線から、伸張率が２０％のときと実効伸張率のときの各々の引張荷重の値を読み取る。また、伸張率２０％から実効伸張率までの関係曲線の勾配、即ち〔引張荷重（実効伸張率時）−引張荷重（２０％時）〕／〔実効伸張率（％）−２０％〕を算出し、その値を、伸張率が２０％から実効伸張率までの間の引張荷重増加率（ｇｆ／％）とする。
尚、試験片は、おむつ長手方向の中央部に位置する部分が含まれるように切り出し、また、自然状態、即ち切り出したギャザーが自然に縮んだ状態で、平らな面を持つ板などの上で、負荷をできるだけかけずにギャザーを平らにした場合の長さが少なくとも７０ｍｍ以上となるように切り出す。好ましくは、おむつ配設状態の伸張率を測定した後のものを使用する。伸張開始時の試験片の初期長（自然状態における長さ，伸張率０％）は５０ｍｍとし、該試験片をおむつに配設された状態における伸張率となるまで伸張させる。
【００３１】
実効伸張率における引張荷重が２０ｇｆ未満であると、装着時に立体ギャザーの先端部の起立性が損なわれ、立位での装着時などで立体ギャザーの先端部を股間部に誘導する際に立体ギャザーが倒れてしまったり、被装着者の肌にあたり折れ曲がってしまったりし、正しく装着することが難しくなる。また、被装着者の姿勢が変化した場合立体ギャザーの先端部が被装着者の肌との間に隙間が生じ排泄物がモレる可能性が大きくなる。たとえ、立体ギャザーの先端部が被装着者の肌に隙間なく接している場合でも、立体ギャザーとしての締め付け力が弱いために、排泄物を立体ギャザー間内に閉じ込めようとする隠蔽力が弱く、ギャザー先端部を押しのけて排泄物が外側に移動する可能性も大きくなり、漏れ防止効果として有効であるとはいえない。
実効伸張率における引張荷重が１２０ｇｆ超であると、おむつを展開する時の力が大きく展開しにくいおむつとなり、寝かせてあお向けで装着する場合などでは装着性が悪くなる。また、装着後のおむつの処理についてもおむつが丸まろうとする力が強いため操作性が悪くなる。
【００３２】
また、立位での装着では、おむつが股間部に挿入されたときに、テープ部を止着するまでもなくおむつが丸まったり、ズレ落ちてしまったりして装着が難しい。
これらは本発明のようにおむつ配設時の伸張率が大きくなると生じる課題であり、展開時に伸張された立体ギャザーが伸張を開放するように縮もうとして生じ、結果的におむつを丸めてしまう現象である。したがって、本発明では伸張応力をある程度小さくすることで、縮もうとする挙動に対する力を小さくし、縮もうとする現象を遅延させたり、縮んだものを展開するときに必要な力を小さくすることで、装着者の装着性を悪化させないことを達成した。特におむつ配設時の伸張率が同じ条件では伸張応力が支配因子であり、伸張応力が小さいほど伸びやすく、扱いやすいおむつとなる。１２０ｇｆを超えない程度であれば装着者はおむつを展開するときに容易に展開でき、操作性も損なわないといえる。
【００３３】
引張荷重増加率は小さいほうが好ましく、装着されたおむつの立体ギャザーが肌へ密着し、漏れを防止しようとする力が装着者の姿勢の変化や様々な装着方法により大きく変わらない。また、装着時においてもおむつを展開するときに急激な力の変化がなく、展開時に装着者が感じるギャザーの重量感（いわゆる）重たさがなく、扱いやすいため、寝位・立位ともに装着性が向上できる。
したがって、引張荷重増加率を、伸長率の単位増加量当たりの引張荷重の増加量として計算した場合、引張荷重増加率は、伸長率が０％超から実効伸張率までの総ての地点で１．０（ｇｆ／％）以下であることが好ましい。しかしながら、一部の区間では１．０（ｇｆ／％）超になる場合がある。そのような区間が伸張率０〜２０％程度の部分である場合に、実質的に上述の効果を有するものは本発明の主旨から逸脱するものではない。とはいえこの区間においての引張荷重増加率としての上限は２．０（ｇｆ／％）までであることが好ましい。
このような観点から、ここでは、伸張率が２０％から実効伸張率までの間の引張荷重増加率を規定している。
【００３４】
本実施形態の使い捨ておむつ１によれば、吸収体配設領域の一部分が低剛性領域Ｒ１となっており、且つ低モジュラスの立体ギャザー６を高伸張率で配してあるため、寝位での装着のみならず、立位で装着する際にも極めて装着性に優れている。しかも、本実施形態の使い捨ておむつ１によれば、今回高伸長率低モジュラスギャザーを導入することにより、ギャザーの起立性が上がるのでヨレたとしても空間がしっかり保たれてモレを防止できたことから、モレ性能と装着性の向上が同時に実現できた。
したがって、モレ性能を維持しながら、おむつを装着する際に、立位時の狭い股間部におむつがスムーズに入り込み、立位で装着する場合であっても寝位の装着位置と変わらない位置におむつを装着することができるため、立位での装着性を向上させることができる。また、立位での装着性を向上させるに伴って、第１部の幅方向の伸縮幅や第１部の幅を極端に大きくする必要もなく、寝位での装着性を損なうこともない。
【００３５】
本実施形態の使い捨ておむつ１は、おむつを長手方向に２等分する中央線ＣＬ（図１参照）の両側の飽和吸収容量、即ち中央線ＣＬの両側に位置する両部分Ｆ，Ｇの飽和吸収容量の比（部分Ｆ／部分Ｇ）が４５／５５〜５５／４５であり、そのため、第１部Ｂを着用者の腹側に位置させ、ファスニングテープ５，５を着用者の背側にてランディングゾーン５１に止着する装着方法（以下、背側装着ともいう）で装着した場合においても尿漏れが生じない。
即ち、本実施形態の使い捨ておむつ１は、第１部Ｂを着用者の背側に位置させ、ファスニングテープ５，５を着用者の腹側にてランディングゾーン５１に止着する装着方法（以下、腹側装着ともいう）で装着できるのみならず、前記背側装着でも容易に装着することができ、何れの場合においても漏れが生じない。装着の向きを問わずに尿漏れが生じないようにする観点から、前記飽和吸収容量の比（部分Ｆ／部分Ｇ）は４８／５２〜５２／４８であることが好ましく、両部分の飽和吸収容量は、両者の差が小さい程好ましい。図３（ａ）は、立ち上がった状態の着用者（幼児）に腹側装着する様子、図３（ｂ）は、立ち上がった状態の着用者（幼児）に背側装着する様子が示されている。
【００３６】
ここで、おむつの長手方向中央線ＣＬの両側の飽和吸収容量は、以下のようにして測定される。
〔飽和吸収容量の測定方法〕
先ず、おむつ１を、その長手方向を２等分する中央線ＣＬで、幅方向に切断する。
次いで、立体ギャザー及びレッグギャザーを切除する。更に、胴回り部に配された伸縮部を切断する。但し、吸収層の構造が破壊又は切断されることがないように留意する。容器から水平に取り出せるように加工した金網に切断したおむつを載せ、金網ごと重量を測定する。予め側面下部に溶液を排出する開口部を設けた容器内に金網ごとおむつを入れ、０．９重量％の生理食塩水を吸収体が完全に浸漬するように注入する。このときに、おむつの切断端部からポリマー等が脱落しないように注入速度を調節する。完全浸漬後３０分放置する。その後、排出開口部を下側にして容器ごと１０度傾け、排出開口部を開き、容器内の溶液を排出する。排出が完全に終了するまで３０分放置し、その後、容器から金網ごとおむつを取り出し、金網ごとの重量を測定する。「試験終了後の重量」−「試験開始前の重量」からおむつの吸収量を算出し、この値を飽和吸収量（ｇ）とする。
【００３７】
本実施形態の使い捨ておむつ１における各部の形成材料について説明する。
表面シート２、裏面シート３、吸収体４、及び立体ギャザー形成用のシート材６２、ランディングゾーン５１形成用のランディングテープ等の形成材料としては、従来、使い捨ておむつに用いられている各種公知の材料を特に制限なく用いることができる。
【００３８】
ファスニングテープ５は、機械的面ファスナーのオス部材からなる止着部を有するものでも、粘着剤を塗布して形成した粘着部を有するものでも良い。また、裏面シート３の外表面側を係合性に富む素材により形成し、それをランディングゾーン５１として利用することもできる。
【００３９】
立体ギャザー形成用の弾性部材６１、レッグ部弾性部材７１、ウエスト部弾性部材８１及び胴回り部弾性部材９１としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
【００４０】
以上、本発明の好ましい一実施形態について説明したが、本発明は、上述した実施形態に制限されず、本発明の趣旨を逸脱しない範囲で種々変更が可能である。
例えば、上記実施形態におけるウエスト部Ｄには、帯状のウエスト部弾性部材８１が配設されてウエスト伸縮部８が形成されているが、これに代えて、図４に示すように、複数本の糸状の弾性部材８１を両サイドに亘るように配設することによって、ウエスト伸縮部８を形成することもできる。この場合、複数本の弾性部材は、柔軟なシート材等に固定し、複合伸縮部材として配設することもできる。
本発明の使い捨ておむつは、成人用の使い捨ておむつであっても良いが、幼児（ベビー）用の使い捨ておむつ、特におむつ換えを嫌がる幼児に適している。
【００４１】
【実施例】
〔実施例１〕
図１に示す形態の使い捨ておむつを複数枚製造した。
そのおむつは胴回り部左右２箇所に配されているサイド伸縮弾性部材の幅＝９ｃｍ、股下部の最小幅部分の股間幅Ｗ＝２２０ｍｍであり、股下部の吸収体が配された領域の曲げ剛性が２０ｇｆ／５０ｍｍであった。尚、サイド伸縮部の弾性部材は太さ５６０ｄｔｅｘの糸状弾性部材を使用した。前記胴回り部Ｅの引張荷重は３００ｇｆであった。
【００４２】
また、このおむつは、股下部の股間幅が、おむつ長手方向の５０ｍｍ以上の長さに亘って１００〜２４０ｍｍの範囲内であり、おむつの重量が２５ｇであり、おむつを長手方向に２等分する中央線の両側の飽和吸収容量の比（部分Ｆの容量／部分Ｇの容量）が４９／５１であった。
【００４３】
〔比較例１〕
比較例として、胴回り部にサイドの伸縮が無く、股下部の最小幅部分の股間幅Ｗ＝２５５ｍｍであり、剛性が４０ｇｆ／５０ｍｍのおむつを製造した。
【００４４】
〔比較例２〕
実施例１のおむつにおいて、股下部の吸収体が配された領域の曲げ剛性を４０ｇｆ／５０ｍｍとした以外は同じ構成のおむつを作成した。
【００４５】
尚、図５は、おむつ非固定状態における立体ギャザーの伸張率と伸張応力（荷重）との関係を示すグラフであり、曲線▲１▼は実施例１及び比較例１，２のおむつ、曲線▲２▼は市販のおむつの一般的なものにおける各立体ギャザーの伸縮特性を示す曲線である。実施例１の立体ギャザーは、おむつ配設状態における伸長率が１１０％であり、実効伸長率（１１０−３０％）での引張荷重が４８ｇｆ、２０％から実効伸長率までの間の引張荷重増加率が０．５であった。
【００４６】
〔装着のし易さの評価〕
実施例１と比較例１の装着テストをＮ＝１０で実施した。
実施例及び比較例の使い捨ておむつについて、立位での装着のし易さを評価した。装着方法は幼児モデルを立たせておいて、紙おむつのファスニングテープを着用者の腹側においてランディングゾーンに止着する方法（腹側装着）とした。その結果、１０人中全ての人が立位での装着のし易さにおいて実施例１を支持した。
【００４７】
〔モレにくさとズレ落ち量の評価（動的股モレ値の測定）〕
実施例及び比較例の使い捨ておむつを、腹側装着により幼児腰部モデル（立位で両脚を前後させる歩行運動及び股間部からの人工尿の注入が可能であり、形態的に幼児の腰部を模してあるモデル）に装着し、下記方法で動的股モレ値とズレ落ち量を測定した。その結果を表１に示した。
股モレ値とズレ落ち量の測定においては、先ず使い捨ておむつを上記の幼児モデルに装着し（腹側先端オヘソ位置）、１５０歩／分の歩行速度で５分間歩行運動させた。（立位）その後、歩行運動を停止し、チューブを介しておむつ５ｇ／秒の速度で８０ｇの人工尿を注入し、さらに５分間歩行運動を行なわせた。その時のオヘソからおむつ先端までのキョリをズレ落ち量とした。
その後、モデルを横寝にし、５ｇ／秒の速度で４０ｇの人工尿を注入し、４０ｇの注入が終了した時点で漏れていないかを目視にてチェックした。漏れが生じていないものについては、更に４０ｇの人工尿の注入を行ない、この様な操作を漏れるまで繰り返した。そして尿の漏れが観察された時点における人工尿の合計注入量を動的股モレ値とした。
【００４８】
【表１】
2004057414.tif 000003
【００４９】
【発明の効果】
本発明の使い捨ておむつは、展開型の使い捨ておむつであり、立位での装着性に優れ、しかも吸収性能及び漏れ防止性能に優れている。本発明の使い捨ておむつの装着方法は、新規な展開型おむつの装着方法であり、立位状態の着用者に極めて容易に装着することができる。
【図面の簡単な説明】
【図１】図１は、本発明の一実施形態としての使い捨ておむつを、各部の弾性部材を伸張させ平面状に拡げた状態（緊張状態）を示す平面図である。
【図２】図２は、図１の使い捨ておむつの股下部の最小幅部分における断面（長手方向中央線ＣＬに沿う断面）を示す模式断面図である。
【図３】図３（ａ）は、図１の使い捨ておむつを、立ち上がった状態の着用者（幼児）に腹側装着する様子、図３（ｂ）は、図１の使い捨ておむつを、立ち上がった状態の着用者に背側装着する様子を示す図である。
【図４】図４は、本発明の他の実施形態の使い捨ておむつの要部を示す平面図である。
【図５】図５は、おむつ非固定状態における立体ギャザーの伸張率と伸張応力（荷重）との関係を示すグラフである。
【符号の説明】
１　　使い捨ておむつ
２　　表面シート
３　　裏面シート
４　　吸収体
５　　ファスニングテープ
５１　ランディングゾーン
９　　サイド伸縮部
９１　胴回り部弾性部材
【図１】
2004057414.tif 000004
【図２】
2004057414.tif 000005
【図３】
2004057414.tif 000006
【図４】
2004057414.tif 000007
【図５】
2004057414.tif 000008